(57)【要約】【課題】ＩＣタグを備えたインモールドラベルであって、成形体の成形時における高温高圧環境からＩＣタグを保護することができるインモールドラベルを提供する。【解決手段】インモールドラベル２０は、成形体１０の成形時に金型６０内に挿入され、成形される成形体の表面の一部をなすようになる。インモールドラベルは、一方の面３２ａが前記成形体の表面の一部を形成するようになる表面樹脂シート３０と、前記表面樹脂シートの他方の面側に配置されたＩＣタグ４０と、前記表面樹脂シートとの間で前記ＩＣタグを挟むように配置された断熱保護シート５０と、を備えている。断熱保護シート５０は前記ＩＣタグを覆うシートであり、断熱機能を有する。【選択図】図１
0003121910.tif 000002
【実用新案登録請求の範囲】
【請求項１】
成形体の成形時に金型内に挿入され、成形される成形体の表面の一部をなすようになるインモールドラベルであって、
一方の面が前記成形体の表面の一部を形成するようになる表面樹脂シートと、
前記表面樹脂シートの他方の面側に配置されたＩＣタグと、
前記表面樹脂シートとの間で前記ＩＣタグを挟むように配置されるとともに前記ＩＣタグを覆うシートであって、断熱機能を有する断熱保護シートと、を備えた
ことを特徴とするインモールドラベル。
【請求項２】
前記表面樹脂シートとの間で前記ＩＣタグおよび前記断熱保護シートを挟むようにして配置された他方側樹脂シートを、さらに備えた
ことを特徴とする請求項１に記載にインモールドラベル。
【請求項３】
前記表面樹脂シートとの間で前記ＩＣタグおよび前記断熱保護シートを挟むようにして配置された他方側樹脂部材を、さらに備え、
前記他方側樹脂部材には、少なくとも前記断熱保護シートを収容する凹部が形成されている
ことを特徴とする請求項１に記載にインモールドラベル。
【請求項４】
前記表面樹脂シートと前記ＩＣタグとの間に配置された熱可塑性樹脂層をさらに備え、
前記熱可塑性樹脂層は前記ＩＣタグを間に挟み前記断熱保護シートに溶着している
ことを特徴とする請求項１に記載のインモールドラベル。
【請求項５】
前記ＩＣタグと前記断熱保護シートとの間に配置され、乾燥機能を有する乾燥シートを、さらに備えた
ことを特徴とする請求項１乃至４のいずれか一項に記載のインモールドラベル。
【請求項６】
前記断熱保護シートは、乾燥機能を有する乾燥シートに、断熱機能を有する断熱材料を混入してなる
ことを特徴とする請求項１乃至４のいずれか一項に記載のインモールドラベル。
【請求項７】
前記断熱材料は、球状石英および発泡セラミックの少なくとも一方である
ことを特徴とする請求項６に記載のインモールドラベル。
【請求項８】
前記断熱保護シートは、断熱機能を有する断熱シートに、乾燥機能を有する乾燥材料を混入してなる
ことを特徴とする請求項１乃至４のいずれか一項に記載のインモールドラベル。
【請求項９】
前記表面シートの前記一方の面に、筆記適性、防汚機能および剥離機能のうち少なくともいずれか一つが付与されている
ことを特徴とする請求項１乃至８のいずれか一項に記載のインモールドラベル。
【請求項１０】
請求項１乃至請求項９のいずれか一項に記載のインモールドラベルを備え、
前記インモールドラベルが表面の一部をなしている
ことを特徴とするインモールドラベル容器。
【考案の詳細な説明】
【技術分野】
【０００１】
本考案は、成形体の成形時に金型内に挿入され、成形された成形体の外表面の一部をなすようになるインモールドラベルに係り、とりわけ、ＩＣタグを含むとともにＩＣタグを成形体の成形時における高温高圧環境から保護し得るインモールドラベルに関する。
【背景技術】
【０００２】
例えば工場内あるいは工場間において、製造された部品等は樹脂製の容器（通い箱、コンテナ、パレット等を含む概念）に収納されて取り扱われることが多くある。この場合、収納される部品等についての情報、例えば、部品名、ロット番号、製造者等が容器に表示されていると、容器の取り扱い上における都合が良い。そして、昨今では、工程管理、物流管理、在庫管理等をも容易に行い得る非接触式ＩＣタグを、この容器に貼り付けて用いることも試されつつある。
【０００３】
ところが、通い箱等として使用される容器は、通常、回収および洗浄して再利用されている。このため、水分を嫌うＩＣタグは、容器とともに洗浄されることによって破損してしまう虞がある。また、そもそも、単に貼り付けるだけであれば、容器からＩＣタグが脱落してしまう可能性があり、容器を洗浄することによって、その可能性は著しく高まる。このようことから、容器に貼り付けたＩＣタグを繰り返し利用することは困難であり、コスト上の問題からＩＣタグの容器への使用は広く普及するに至っていない。
【考案の開示】
【考案が解決しようとする課題】
【０００４】
このような点を踏まえ、本件考案者らは、ＩＣタグを含んだインモールドラベルを用いて容器を成形することにより、ＩＣタグおよび容器の再利用を可能にし得ることを見出したが、この方法にも次の不具合が存在することを知見した。すなわち、インモールドラベルは高温高圧の樹脂に曝されることになるが、高温によりＩＣタグが破損し、高圧によりＩＣタグの電気的接続が損なわれる。
【０００５】
本考案はこれらの点を考慮してなされたものであり、ＩＣタグを備えたインモールドラベルであって、成形体の成形時における高温高圧環境からＩＣタグを保護することができるインモールドラベルを提供することを目的とする。同様に、本考案は、ＩＣタグを備えたインモールドラベルを用いたインモールドラベル容器を提供することを目的とする。
【課題を解決するための手段】
【０００６】
本考案によるインモールドラベルは、成形体の成形時に金型内に挿入され、成形される成形体の表面の一部をなすようになるインモールドラベルであって、一方の面が前記成形体の表面の一部を形成するようになる表面樹脂シートと、前記表面樹脂シートの他方の面側に配置されたＩＣタグと、前記表面樹脂シートとの間で前記ＩＣタグを挟むように配置されるとともに前記ＩＣタグを覆うシートであって、断熱機能を有する断熱保護シートと、を備えたことを特徴とする。
【０００７】
本考案によるインモールドラベルは、前記表面樹脂シートとの間で前記ＩＣタグおよび前記断熱保護シートを挟むようにして配置された他方側樹脂シートを、さらに備えるようにしてもよい。
【０００８】
あるいは、本考案によるインモールドラベルは、前記表面樹脂シートとの間で前記ＩＣタグおよび前記断熱保護シートを挟むようにして配置された他方側樹脂部材を、さらに備え、前記他方側樹脂部材には、少なくとも前記断熱保護シートを収容する凹部が形成されているようにしてもよい。
【０００９】
あるいは、本考案によるインモールドラベルは、前記表面樹脂シートと前記ＩＣタグとの間に配置された熱可塑性樹脂層をさらに備え、前記熱可塑性樹脂層は前記ＩＣタグを間に挟み前記断熱保護シートに溶着しているようにしてもよい。
【００１０】
また、本考案によるインモールドラベルは、前記ＩＣタグと前記断熱保護シートとの間に配置され、乾燥機能を有する乾燥シートを、さらに備えるようにしてもよい。
【００１１】
あるいは、本考案によるインモールドラベルにおいて、前記断熱保護シートは、乾燥機能を有する乾燥シートに、断熱機能を有する断熱材料を混入してなるようにしてもよい。この場合、前記断熱材料は、球状石英および発泡セラミック（ドパモライト）の少なくとも一方からなるようにしてもよい。
【００１２】
あるいは、本考案によるインモールドラベルにおいて、前記断熱保護シートは、断熱機能を有する断熱シートに、乾燥機能を有する乾燥材料を混入してなるようにしてもよい。
【００１３】
さらに、本考案によるインモールドラベルにおいて、前記表面シートの前記一方の面に、筆記適性、防汚機能および剥離機能のうち少なくともいずれか一つが付与されているようにしてもよい。
【００１４】
本考案によるインモールドラベル容器は、上述した本考案によるインモールドラベルのいずれかを備え、当該インモールドラベルが表面の一部をなしていることを特徴とする。
【考案の効果】
【００１５】
本考案によるインモールドラベルによれば、ＩＣタグを高温高圧の樹脂から覆い隠す断熱保護シートを備えている。したがって、本考案によるインモールドラベルを用いることによって、機能を損なうことなくＩＣタグを容器に一体的に組み込むことができる。このようにして得られた容器においては、ＩＣタグが脱落してしまうこと、および、ＩＣタグが洗浄によって破損してしまうことを防止することができる。このため、ＩＣタグの機能を維持しつつ容器を繰り返し利用することができ、これにより、容器に収納される部品等の管理を多面的かつ効率的に行うことができるようになる。
【考案を実施するための最良の形態】
【００１６】
以下、図面を参照して本考案の一実施の形態について説明する。
【００１７】
図１乃至図５は本考案によるインモールドラベルおよびインモールドラベル容器の一実施の形態を示す図である。
【００１８】
このうち図１は本考案によるインモールドラベルの一実施の形態を示す概略断面図であり、図２は図１に示すインモールドラベルを示す上面図であり、図３はＩＣタグを示す上面図であり、図４は本考案によるインモールドラベル容器の一実施の形態を示す概略断面図であり、図５は図４に示すインモールドラベル容器の製造方法を説明するための図である。
【００１９】
図４に示すように、インモールドラベル容器１０は、インモールドラベル２０と、インモールドラベル２０と一体的に溶着された容器本体１２と、を備えている。このようなインモールドラベル容器１０は、例えば、工場内においてあるいは工場間において、製造された部品等を収納する容器、通い箱、または、コンテナとして用いられる。このうちインモールドラベル２０は、後に図５を用いて詳述するように、インモールドラベル容器（成形体）１０の成形時に金型６０内に挿入され、成形されるインモールドラベル容器１０の表面の一部をなすようになる。
【００２０】
一方、図１乃至図３に示すように、インモールドラベル２０は、一方の面３２ａが成形体１０の表面の一部を形成するようになる表面樹脂シート３０と、表面樹脂シート３０の他方の面３２ｂ側に配置されたＩＣタグ４０と、表面樹脂シート３０との間でＩＣタグ４０を挟むように配置されるとともにＩＣタグ３０を覆うシート５０であって、断熱機能を有する断熱保護シート５０と、を備えている。また、インモールドラベル２０は、表面樹脂シート３０とＩＣタグ４０との間に配置された印刷紙２６と、表面樹脂シート３０との間でＩＣタグ４０および断熱保護シート５０を挟むようにして配置された他方側樹脂シート３６と、をさらに備えている。
【００２１】
このうち表面樹脂シート３０および他方側樹脂シート３６は、上面視において、他の構成要素よりも大きな外形状を有している。そして、図１および図２に示すように、表面樹脂シート３０および他方側樹脂シート３６は、溶着部２２において、互いに対して溶着されている。これにより、表面樹脂シート３０および他方側樹脂シート３６は、他の構成要素を周囲（側方）から覆い隠すようになっている。なお、表面樹脂シート３０と他方側樹脂シート３６との間の溶着方法は、ヒートシールや超音波接合等の公知の方法を採用することができる。
【００２２】
表面樹脂シート３０および他方側樹脂シート３６は、本実施の形態において、容器本体１２をなす材料として金型６０内に供給（射出、ブロー等）される樹脂（例えば、ポリプロピレンやポリエチレン）と同一の樹脂からなっている。この表面樹脂シート３０および他方側樹脂シート３６は、後述するよう、成形時に少なくとも表面部分の一部が溶融して、容器本体１２をなす材料と一体化する。したがって、表面樹脂シート３０および他方側樹脂シート３６の厚さは、容器本体１２をなす材料と一体化を妨げない限りにおいて特に限定されず、例えば０．３ｍｍとすることができる。
【００２３】
次に、印刷紙２６について詳述する。印刷紙２６は例えば合成紙等からなっている。印刷紙２６の表面樹脂シート３０側の面には、文字、図形、記号、絵柄等の印刷模様２８が印刷されている。本実施の形態においては、図２に示されているように、印刷模様２８として「部品面」および「ロット番号」といった文字が印刷されている。
【００２４】
なお、この印刷模様２８は、表面樹脂シート３０越しに視認することができるようになっている。また、このような実施の形態においては、表面樹脂シート３０の一方の面３２ａに筆記適性が付与されていることが好ましい。ここで、筆記適性が付与されるとは、例えば鉛筆または水性インキで容易に文字２４等を書き込むことができるとともに記載された文字２４等を容易に消すことができるようになされることである。
【００２５】
次に、ＩＣタグ４０について詳述する。ここでＩＣタグ４０とは、情報を記録保持することができ、外部装置（リーダ・ライタ等）を用いて非接触状態で通信することにより、記録保持した情報を読み取られ得るようになされた情報保持媒体である。さらに、外部装置を用いて新たな情報を都度書き足され得るようになされたものもある。
【００２６】
図３に示すように、本実施の形態において、ＩＣタグ４０は、情報を記録するためのメモリや外部装置との通信を可能にするため回路を有するＩＣチップ４４と、ＩＣチップ４４と電気的に接続され、外部装置と通信する際にアンテナとして機能するアンテナ用導電体４６と、を有している。また、アンテナ用導電体４６は基材４２上に形成されており、基材４２は、例えばＰＥＴ等の樹脂からなっている。
【００２７】
なお、ＩＣタグ４０は上述した機能を有する限りにおいてその構成は特に限定されず、例えば、日本インフォメーションシステム社から「リライタブル２．４５ＧＨｚタグ」として入手可能なＩＣタグ等、公知のＩＣタグを用いることができる。
【００２８】
次に、断熱保護シート５０について詳述する。図１に示すように、本実施の形態における断熱保護シート５０は、乳栓ボール紙、チップ板紙、不織布、および、ポリプロピレン系シート等の断熱性を有する公知の断熱シートからなるシート状基材５２と、シート状基材５２に混入された乾燥機能を有する乾燥材料５４と、を有している。このような断熱保護シート５０の大きさは、図３に二点鎖線で示すように、ＩＣタグ４０を包囲し得るような大きさとなっている。また、断熱シート５２（断熱保護シート５０）の厚さは、後述のインモールドラベル容器１０の成形時における高温高圧環境下から、ＩＣタグ４０を保護し得るように設定される。このような断熱シート５２として、例えば、日本バイリーン社製の厚さ１ｍｍのポリプロピレン系不織布を用いることができる。
【００２９】
一方、乾燥材料５４としては、例えば、粒状のシリカゲル等を用いることができるが、その他の公知の乾燥材料を用いることも可能である。ただし、乾燥材料５４の混入は、ＩＣタグ４０が湿気（水分）によって破損してしまうことを防止するためのものである。したがって、最終的なインモールドラベル容器１０の状態において、ＩＣタグ４０を湿気から十分に隔離することができるのであれば、乾燥材料５４を省いてもよい。
【００３０】
次に、主に図５を参照し、このような構成からなるインモールドラベル２０を用いてインモールドラベル容器１０を成形する方法について説明する。
【００３１】
この場合、例えば、図５に示すように、雄型６２と、雄型６２との間でキャビティ７０を形成する雌型６４と、を有した金型６０が用いられる。図５に示すように、キャビティ７０は、成形されるべき成形体（インモールドラベル容器）１０の外形状に対応した形状を有している。また、本実施の形態において、雌型６４には、キャビティ７０に連通し、キャビティ７０内に溶融した樹脂を供給するためのゲート７２が形成されている。さらに、雌型６４には、インモールドラベル容器１０の成形時にインモールドラベル２０をキャビティ７０内の所望の位置に保持するための吸引孔７４が形成されている。この吸引孔７４は、図示しない真空吸引機に接続されている。
【００３２】
このような金型６０を用いて、インモールドラベル容器１０を成形する場合、まず、インモールドラベル２０をキャビティ７０内に設置する。具体的には、雄型６２と雌型６４とが離間した状態において、インモールドラベル２０を、その表面側樹脂シート３０が雌型６４と対面するようにして、雌型６４の吸引孔７４の直上に配置する。同時に、真空吸引機を作動させて、インモールドラベル２０をその位置（吸引孔７４の直上）に吸着保持する。その後、雄型６２と雌型６４とを嵌合して、雄型６２と雌型６４との間にキャビティ７０を形成する。このような動作を経ることにより、図５に示すように、インモールドラベル２０は、表面側樹脂シート３０がキャビティ壁面に接触するようにして、キャビティ７０の壁面へ向けて吸着保持された状態となっている。
【００３３】
次に、図５に示す状態で、ゲート７２からキャビティ７０内に溶融した樹脂を流し込み、樹脂をキャビティ７０内に行き渡らせる。このとき、インモールドラベル２０が高温高圧環境下に曝されることになる。しかしながら、本実施の形態におけるインモールドラベル２０によれば、ＩＣタグ４０の樹脂が流れ込んで来る側に、ＩＣタグ４０を覆い隠す断熱保護シート５０が配置されている。したがって、例えば、３００℃程度の溶融した高温樹脂がインモールドラベル２０と接触したとしても、断熱保護シート５０の断熱機能により、ＩＣタグ４０に伝達される温度をＩＣタグ４０の許容温度（例えば２００℃）以下まで下げることができる。このような断熱保護シート５０の断熱機能により、ＩＣタグ４０を高温環境から保護することができる。また、樹脂の流し込みによりインモールドラベル２０に高圧力が付加されたとしても、適当な厚さを有した断熱保護シート５０により、加えられた圧力の一部を吸収することができるとともに、ＩＣタグ４０に加えられる圧力を均一化することができる。したがって、成形時に、ＩＣチップ４４とアンテナ用導電体４６との電気的接続が損なわれたり、ＩＣチップ４４が破損したりして、ＩＣタグ４０が破損してしまうことを防止することができる。
【００３４】
一方、高温高圧の樹脂は、インモールドラベル２０の表面樹脂シート３０および他方側樹脂シート３６のキャビティ７０内に露出した部分を溶融させる。そして、その後に冷却されることによって、キャビティ７０内に送り込まれた樹脂は、表面樹脂シート３０および他方側樹脂シート３６の溶融した前記一部とともに硬化する。したがって、キャビティ７０内に供給された樹脂によって容器本体１２が形成され、インモールドラベル２０は容器本体１２に溶着する。これにより、インモールドラベル２０と容器本体１２とが一体的に溶着されてなるインモールドラベル容器１０が得られる。なお、他方側樹脂シート３６を、いわゆるヒートシール層のような熱可塑性樹脂によって形成するようにしてもよい。
【００３５】
このように本実施の形態によるインモールドラベル２０を用いて得られるインモールドラベル容器１０によれば、非接触式ＩＣタグ４０が壁面内部に組み込まれている。したがって、ＩＣタグ４０と通信可能な外部装置を用いることにより、インモールドラベル容器１０の管理を多面的かつ効率的に実施することができる。
【００３６】
例えば、このインモールドラベル容器１０を、部品等を収納する通い箱として用いた場合、インモールドラベル容器１０の種々の通過位置に配置された外部装置を用い、収納される部品等の工程管理、物流管理、在庫管理等を自動的に行うことも可能となる。また、ＩＣタグ４０がインモールドラベル容器１０内部に一体的に組み込まれているので、インモールドラベル容器１０を洗浄等したとしても、ＩＣタグ４０が水分で破損したり、ＩＣタグ４０が容器本体１２から脱落したりすることを防止することができる。
【００３７】
また、本実施の形態によるインモールドラベル２０によれば、断熱機能を有する断熱シートからなるシート状基材５２に、乾燥機能を有する乾燥材料５４を混入することによって断熱保護シートが形成されている。このため、水分を嫌うＩＣタグ４０を取り囲む雰囲気を乾燥状態に保つことができる。これにより、湿気によってＩＣタグ４０が機能低下することを防止することができる。とりわけ、乾燥材料５４を含む断熱保護シート５０がＩＣタグ４０に隣接して配置されている本実施の形態によれば、このような作用効果がより顕著に発揮される。
【００３８】
さらに、本実施の形態によるインモールドラベル２０によれば、表面樹脂シート３０に隣接して印刷模様２８が印刷された印刷紙２６が配置されている。このような印刷模様２８により視覚的な効果を与えることができ、とりわけ、このインモールドラベル２０を含んだインモールドラベル容器１０が通い箱として用いられる場合には、容器１０の外方から内容物を確認することもできる。
【００３９】
なお、上述した実施の形態に関し、本考案の要旨の範囲内で種々の変更が可能である。以下、図６乃至図８を用いていくつかの変形例について説明する。ただし、以下に示すいくつかの変形は、上述した実施の形態に適用し得る変形のすべてではなく、単なる例示に過ぎない。また、以下の説明において、上述した実施の形態と同一する部分あるいは以下の変形例間で同一する部分には同一符号を付し、詳細な説明は省略する。
【００４０】
上述した実施の形態においては、表面樹脂シート３０との間でＩＣタグ４０および断熱保護シート５０を挟むようにしてシート状の他方側樹脂シート３６が配置されている例を示したが、これに限られない。例えば、シート状の他方側樹脂シート３６に代え、図６に示されている、少なくとも断熱保護シート５０を収容する凹部３８が形成された他方側樹脂部材３７を用いることもできる。この他方側樹脂部材３７は、他方側樹脂シート３６と同様に、金型６０のキャビティ７０内に供給され容器本体１２を形成する樹脂と同一種類の樹脂からなっている。図７には、このような他方側樹脂部材３７を用いて形成されたインモールドラベル２０の変形例が示されている。図７に示す例において、他方側樹脂部材３７の凹部３８には、他方側樹脂部材３７と表面樹脂シート３０との間に配置される構成要素すべてを収容するようになっている。なお、このような他方側樹脂部材３７は、シート状の樹脂（例えば、他方樹脂シート３６）に浅絞り加工を施すことによって、容易かつ安価に入手可能である。
【００４１】
また、上述した実施の形態において、表面樹脂シート３０に隣接して印刷紙２６を設け、印刷紙２６の表面樹脂シート３０側の面に印刷模様２８を印刷する例を示したが、これに限られない。例えば、図７に示すように、印刷紙２６を省略するとともに、表面樹脂シート３０の他方の面３２ｂに、一方の面３２ａ側から視認可能な模様２８を形成するようにしてもよい。また、必要に応じて、模様２８自体を省略することもできる。
【００４２】
さらに、上述した実施の形態において、印刷紙２６に形成された模様２８に対応して、表面樹脂シート３０の一方の面３２ａに筆記適性を付与する例を説明したが、これに限られない。筆記適性に代え、あるいは、筆記適性に加え、防汚機能および／または剥離機能を表面樹脂シート３０の一方の面３２ａに付与するようにしてもよい。ここで、防汚機能を付与されるとは、一方の面３２ａに油等の汚れが付着したとしても、当該汚れを容易に除去することができるようになされることである。一方、剥離機能を付与されるとは、一方の面３２ａに貼り付けられたシール等を一方の面３２ａから容易に引き剥がすことができるようになされることである。
【００４３】
さらに、上述した実施の形態では、断熱保護シート５０が、断熱機能を有する断熱シート５２に乾燥機能を有する乾燥材料５４を混入して形成された例を示したが、これに限られない。そもそも、上述したように乾燥材料５４を省略することが可能である。また、図７に示すように、断熱保護シート５０から乾燥材料５４を省くとともに、乾燥機能を有する別途の乾燥シート５８を設けるようにしてもよい。図７に示す例において、断熱保護シート５０は断熱シート５２のみから構成されている。また、図７に示す例において、乾燥シート５８は、ＩＣタグ４０を取り囲む環境からより確実に湿気を除去することができるよう、ＩＣタグ４０に隣接し、ＩＣタグ４０と断熱保護シート５０との間に配置されている。
【００４４】
また、図８に示すように、従来式のインモールドラベル２０ａに対し、ＩＣタグ４０および断熱保護シート５０を適用することも可能である。ここで従来式のインモールドラベル２０ａとは、図８に示すように、一方の面３２ａが成形体の表面の一部をなすようになる表面樹脂シート３０と、表面樹脂シート３０に隣接して積層された印刷紙２６と、印刷紙２６に隣接して積層された熱可塑性樹脂層３９と、を備えている。印刷紙２６の表面樹脂シート３０に対面する面には、印刷模様２８が形成されている。そして、図８に示すインモールドラベル２０は、従来式インモールドラベル２０ａに加え、従来式インモールドラベル２０ａの熱可塑性樹脂層３９側に配置されたＩＣタグ４０と、熱可塑性樹脂層３９との間でＩＣタグ４０を挟むようにして配置された断熱保護シート５０と、をさらに備えている。図８に示すように、本例において、熱可塑性樹脂層３９は、ＩＣタグ４０が介在せず熱可塑性樹脂層３９に直接対面する溶着部材２２において、断熱保護シート５０に溶着している。なお、図８に示すような従来式インモールドラベル２０ａを用いたインモールドラベル２０は、容器本体１２をなす樹脂が低軟化溶融温度を有する場合、例えば容器本体１２をなす樹脂がポリスチロールである場合等に、適している。
【００４５】
また、図８に示すインモールドラベル２０において、断熱保護シート５０は、乾燥機能を有する乾燥シート５６に、断熱機能を有する断熱材料５７を混入（混抄）して形成されている。乾燥シート５６としては、公知の乾燥シートを適宜採用することができる。また乾燥シート５６（断熱保護シート５０）の厚さは、インモールドラベル容器１０の成形時における高温高圧環境下から、ＩＣタグ４０を保護し得るように設定される。具体的には、このような乾燥シート５６として、例えば、品川化成（株）社製の厚さ１ｍｍのアロシートを用いることができる。一方、断熱材料５７としては、例えば、球状石英、発泡セラミック（ドパモライト）、あるいは、球状石英と発泡セラミック（ドパモライト）との組み合わせを用いることができる。
【００４６】
さらに、インモールドラベル２０を用いて製造されるインモールドラベル容器１０の形状は、図４に示される形状に限定されるものではなく、トレー型、シェル型、身フタ型等の種々の形状をとることができる。また、インモールドラベル容器１０におけるインモールドラベル２０の配置位置も特に限定されるものはなく、例えば外観上視認することができないインモールドラベル容器１０の底部にインモールドラベル２０が配置されるようにしてもよい。
【００４７】
以上のように、図１乃至図５に示す実施の形態に関するいくつかの変形例を説明してきたが、当然に、複数の変形例を適宜組み合わせて適用することも可能である。
【図面の簡単な説明】
【００４８】
【図１】図１は、本考案によるインモールドラベルの一実施の形態を示す概略断面図である。
【図２】図２は、図１に示すインモールドラベルを示す上面図である。
【図３】図３は、ＩＣタグを示す上面図である。
【図４】図４は、本考案によるインモールドラベル容器の一実施の形態を示す概略断面図である。
【図５】図５は、図４に示すインモールドラベル容器の製造方法を説明するための図である。
【図６】図６は、インモールドラベルに用いられる他方側樹脂部材を示す斜視図である。
【図７】図７は、インモールドラベルの変形例であって、図６の他方側樹脂部材を備えたインモールドラベルを示す概略断面図である。
【図８】図８は、インモールドラベルの他の変形例を示す概略断面図である。
【符号の説明】
【００４９】
１０  インモールドラベル容器（成形体）
２０  インモールドラベル
３０  表面樹脂シート
３２ａ  一方の面
３２ｂ  他方の面
３６  他方側樹脂シート
３７  他方側樹脂部材
３８  凹部
３９  熱可塑性樹脂層
４０  ＩＣタグ
５０  断熱保護シート
５２  断熱シート
５４  乾燥材料
５６  乾燥シート
５７  断熱材料
５８  乾燥シート
【図１】
0003121910.tif 000003
【図２】
0003121910.tif 000004
【図３】
0003121910.tif 000005
【図４】
0003121910.tif 000006
【図５】
0003121910.tif 000007
【図６】
0003121910.tif 000008
【図７】
0003121910.tif 000009
【図８】
0003121910.tif 000010